(57)【要約】【課題】使用目的に対応して屋内空間を容易に仕切り変更し得る住宅の提供【解決手段】複数の仕切り予定境界面Ｂで囲まれて平面視が正多角形をなす共有空間Ａｄと、共有空間Ａｄの各仕切り予定境界面Ｂで共有空間Ａｄに連続する屋内空間Ａとを備える住宅であって、共有空間Ａｄの仕切り予定境界面Ｂで仕切り予定境界面Ｂを仕切る仕切り体１０が、その基端側１０ｂで回動可能に備えられており、しかも、その横幅を仕切り予定境界面Ｂの横幅のほぼ半分としてあって、隣り合う一対の仕切り体１０の先端側１０ａを接し合わせて仕切り予定境界面Ｂで共有空間Ａｄと屋内空間Ａとを仕切り得るようにしてある。【選択図】図１
2007002531.tif 000002
【特許請求の範囲】
【請求項１】
複数の仕切り予定境界面で囲まれて平面視が正多角形をなす共有空間と、この共有空間の各仕切り予定境界面で当該共有空間に連続する屋内空間とを備える住宅であって、
前記共有空間の仕切り予定境界面で当該仕切り予定境界面を仕切る仕切り体が、その基端側で回動可能に備えられており、しかも、その横幅を前記仕切り予定境界面の横幅のほぼ半分としてあって、隣り合う一対の仕切り体の先端側を接し合わせて前記仕切り予定境界面で前記共有空間と屋内空間とを仕切り得るようにしてあることを特徴とする住宅。
【請求項２】
先端側を接し合わせて前記仕切り予定境界面を仕切る一対の仕切り体における一方の仕切り体を、当該仕切り予定境界面に停止状態に維持し得るようにしてあることを特徴とする請求項１に記載の住宅。
【発明の詳細な説明】
【技術分野】
【０００１】
この発明は、リビングやダイニングや玄関ホールや階段まわり空間等の屋内空間を、その使い勝手によって各種形態の屋内空間に容易に変更して用い得るようにしてある住宅の提供に関する。
【背景技術】
【０００２】
従来の日本家屋にあっては、各屋内空間を障子、板戸、ふすま等の各種建具を用いて仕切り用いると共に、大きな屋内空間を必要とする各種の行事等に際しては、当該各屋内空間を仕切っている建具を取り払って目的とする大きな空間を作り出して用い得るようにしてあった。
【０００３】
かかる従来の日本家屋は、各室等が比較的開閉の容易な緩やかな建具等によって仕切られていたことから、家屋内にある各屋内空間は相互に関連しあって共有空間を構成し、和やかな居住空間を当該家屋にもたらし得る特長を備えていた。
【０００４】
しかしながら、かかる従来の日本家屋にあっては、各屋内空間内において居住する際に、個々人のプライバシーを損なう不具合があった。
【０００５】
ところで、近時の住宅構造にあっては、当該住宅内に設けられる各屋内空間は、各間仕切り壁等によってそれぞれに独立した居住空間等としてあり、この独立している各居住空間相互の往き来に際しては、各居住空間の開口部に設けられたドア等の建具の開閉によって行うようにしている。かかる開口部は、当該居住空間に出入りするに必要とされる大きさの開口部としてあり、家具等の搬入等のために当該開口部に子扉を設け、この子扉をフランス落しによって、必要に応じて固定状態に維持するようにしたものがある。（特許文献１）また、当該開口部に備えられるドア等の容易な開閉の手段としてラッチ錠等が用いられていた。（特許文献２）
【０００６】
特許文献３に示される間仕切り装置にあっては、一つの部屋を複数の個別居住スペースとして用い得るようにする装置が提案されている。
【０００７】
かかる間仕切り装置は、一つの大きな部屋を、複数の個別居住スペースとして用いる際に効果を有するものの、装置の設置に多くの手間と部材とを要し、また、当該仕切り装置によって区分されている各個別居住スペースの形態を他の形態の個別居住スペースに変更するためには、更に多くの作業手間等を要する不具合があった。
【０００８】
特許文献４に示される住宅構造にあっては、廊下と、この廊下に隣接する部屋とを、当該廊下の二カ所を閉塞部材で遮断し、又は、当該遮断状態を解除することによって、廊下及び当該廊下に隣接する部屋を一つの部屋空間として用いたり、当該廊下と、当該廊下に隣接する部屋とをそれぞれの目的に対応して各別に用い得るようにした住宅構造が提案されている。
【０００９】
しかしながら、かかる住宅構造は、廊下と当該廊下に隣接する部屋とは空間的に一つの空間としてあって、たんに廊下を二カ所において閉塞部材によって遮断し、当該廊下空間部分を含む部屋空間を構成し得るようにしたにすぎないものであり、住宅における屋内空間を各種の使用目的に対応する形態を備えた屋内空間に変更して用い得るものではなかった。
【００１０】
また、住宅における屋内空間を可動仕切り手段としての折戸によって、随時、必要に応じて仕切り用いると共に、仕切り目的がなくなった場合や、当該屋内空間を大きく設定して用いる必要を生じた際などに、この折戸を壁隅等に寄せ付けるようにしたものがある。
【００１１】
かかる仕切り手段としての折戸は、屋内空間を目的とする区画に容易に仕切り用いることができ、また、仕切り用いられている当該折戸を壁等に寄せ付けて容易に大きな屋内空間に変更できる利点を有している。
【００１２】
しかしながら、かかる仕切り手段としての折戸は、壁等に寄せ付けた際に、嵩張る不具合があり、また、ガイドレール等の案内手段を設ける必要があり、床面に設置されるガイドレールが歩行等の妨げとなったり、天井側に設置されるガイドレールが屋内空間の空間的な広がり感を妨げる等の不具合があった。
【特許文献１】特開平８−１３５２６０号
【特許文献２】特開２００５−１０５７３０
【特許文献３】特開平７−１３９０６３号
【特許文献４】特開平１１−６２２７６号
【発明の開示】
【発明が解決しようとする課題】
【００１３】
このように限られた屋内空間を効果的に仕切ると共に、適切にプライバシー等の保護された状態において、当該仕切られた各屋内空間を有効に用いたり、必要に応じて当該仕切り手段の撤去や、当該仕切り手段の仕切り区分の変更等によって、当該屋内空間をそれぞれの使用目的に対応した都合の良い形態にして用いる必要があった。
【００１４】
しかしながら、かかる条件を満たす仕切り手段であって、しかも、容易に、屋内空間を仕切り得ると共に、当該仕切り手段の撤去や、仕切り態様の変更等を容易になし得る仕切り手段を備えた住宅はなかった。
【００１５】
かかる点から、屋内空間を必要に応じて、その使用目的に対応するように仕切り用い得ると共に、その使用目的に対応してそれぞれの屋内空間を容易に仕切り変更して用い得る住宅の提供が求められていた。
【課題を解決するための手段】
【００１６】
この発明は、前記課題を解決するために、複数の仕切り予定境界面で囲まれて平面視が正多角形をなす共有空間と、この共有空間の各仕切り予定境界面で当該共有空間に連続する屋内空間とを備える住宅であって、
前記共有空間の仕切り予定境界面で当該仕切り予定境界面を仕切る仕切り体が、その基端側で回動可能に備えられており、しかも、その横幅を前記仕切り予定境界面の横幅のほぼ半分としてあって、隣り合う一対の仕切り体の先端側を接し合わせて前記仕切り予定境界面で前記共有空間と屋内空間とを仕切り得るようにしてあることを特徴とする住宅としてある。
【００１７】
このように構成される住宅にあっては、仕切り体の回動操作のみによって共有空間と当該共有空間に連続する各屋内空間とを一連に連続する一個の屋内空間として構成したり、各仕切り予定境界面において仕切り区分することによって各態様の仕切り屋内空間として構成することができ、それぞれの使用目的に対応した態様での使用を可能としている。
【００１８】
ついで、前記構成に係る住宅にあって、先端側を接し合わせて前記仕切り予定境界面を仕切る一対の仕切り体における一方の仕切り体を、当該仕切り予定境界面に停止状態に維持し得るようにしてあることを特徴とする住宅では、前記特長に併せて、一方の停止状態に維持されている仕切り体との間で他方の仕切り体を仕切り予定境界面において都合の良い出入り手段として構成することができる。
【発明の効果】
【００１９】
この発明に係る住宅は、各仕切り体を仕切り予定境界面から壁際等に回動させることによって当該共有空間及びこの共有空間に連続している各屋内空間を一連に連通した一個の屋内空間として構成し得ると共に、当該仕切り体を用いて任意の仕切り予定境界面で共有空間と当該共有空間に連続されている屋内空間とを仕切ることによって各態様の屋内空間として構成することができる。
【発明を実施するための最良の形態】
【００２０】
以下、図１〜図１４に基づいて、この発明を実施するための最良の形態に係る住宅Ｈについて説明する。
【００２１】
なお、ここで図１は当該発明を実施するための最良の形態に住宅Ｈを、当該住宅Ｈにおける各仕切り予定境界面Ｂに備えられる各仕切り体１０を壁面等に沿わせた状態で、また、図２では、一つの仕切り予定境界面Ｂを仕切り体１０によって仕切った状態で、図３では、他の仕切り予定境界面Ｂを仕切り体１０で仕切った状態で、図４では、さらに他の仕切り予定境界面Ｂを仕切り体１０で仕切った状態で、それぞれ上面から見て示している。図５は、典型的な仕切り体１０を一部破断し、その要部を斜め上方から、図６は同仕切り体１０を一部破断した状態を側面から、図７は、同仕切り体１０の建具レバーの操作状態を仕切り体１０の一部を破断して側面から、図８は、仕切り体１０のフランス落としの操作を仕切り体１０の一部を破断して側面から、図９は、同仕切り体１０の要部を破断して上面から、それぞれ見て示している。図１０は、同仕切り体１０を用いて屋内空間Ａを仕切った一例を斜視の状態で、図１１は、更に、他の仕切り状態を斜視の状態で示している。図１２は、他の典型的な住宅Ｈにあって各仕切り体１０を壁面等に沿わせた状態を、図１３では、更に他の典型的な住宅Ｈにあって各仕切り体１０を壁面等に沿わせた状態を、図１４では、更に他の典型的な住宅Ｈにあって各仕切り体１０を壁面等に沿わせた状態を、それぞれ上方から見て示している。
【００２２】
この発明を実施するための最良の形態に係る住宅Ｈは、複数の仕切り予定境界面Ｂで囲まれて平面視が正多角形をなす共有空間Ａｄ、すなわち、平面視が正多角形をなすように各仕切り予定境界面Ｂで囲まれた共有空間Ａｄと、この共有空間Ａｄの各仕切り予定境界面Ｂで当該共有空間Ａｄに連続する屋内空間Ａとを備える住宅であって、前記共有空間Ａｄの仕切り予定境界面Ｂで当該仕切り予定境界面Ｂを仕切る仕切り体１０が、その基端側１０ｂで回動可能に備えられており、しかも、その横幅を前記仕切り予定境界面Ｂの横幅のほぼ半分としてあって、隣り合う一対の仕切り体１０の先端側１０ａを接し合わせて前記仕切り予定境界面Ｂで前記共有空間Ａｄと屋内空間Ａとを仕切り得るように構成してある。
【００２３】
このように構成される住宅Ｈにあっては、仕切り体１０の回動操作のみによって共有空間Ａｄと当該共有空間Ａｄに連続する各屋内空間Ａとを一連に連続する一個の屋内空間として構成したり、各仕切り予定境界面Ｂにおいて仕切り区分することによって各態様の仕切り屋内空間Ａとして構成することができ、それぞれの使用目的に対応した態様で使用することができる。
【００２４】
また、前記構成に係る住宅Ｈにあって、先端側１０ａを接し合わせて前記仕切り予定境界面Ｂを仕切る一対の仕切り体１０における一方の仕切り体１０を、当該仕切り予定境界面Ｂに停止状態に維持し得るようにした住宅Ｈでは、一方の停止状態に維持されている仕切り体１０との間で他方の仕切り体１０を仕切り予定境界面Ｂにおける都合の良い出入り手段として構成することができる。
【００２５】
かかる住宅Ｈに備えられる共有空間Ａｄは、当該共有空間Ａｄを構成する各仕切り予定境界面Ｂで囲まれて、平面視が正三角形、正四角形、正五角形、正六角形…正ｎ角形の正多角形とされており、しかも、この共有空間Ａｄに、当該共有空間Ａｄを構成する各仕切り予定境界面Ｂで連続する各屋内空間Ａを備えたものであれば、いかなる形態からなるものであってもよい。
【００２６】
かかる共有空間Ａｄと前記各仕切り予定境界面Ｂを介して当該共有空間Ａｄに連続されている屋内空間Ａとは、この仕切り予定境界面Ｂによって構成される共有空間Ａｄが平面視で正多角形をなし、しかも、この各仕切り予定境界面Ｂで当該共有空間Ａｄに連続される屋内空間Ａとの間を前記仕切り体１０を用いて仕切り得る構成のものであれば、いかなる形態のものであってもよく、例えば、これらの各屋内空間Ａと共有空間Ａｄとをリビングルームや、ダイニングルームや、リビング・ダイニングルームや、玄関ホールや、階段まわり空間等の各種の屋内空間Ａの一種類または複数種類によって構成することができる。また、前記仕切り予定境界面Ｂで仕切り体１０によって共有空間Ａｄと仕切り構成される屋内空間Ａは、いかなる形態の屋内空間Ａであってもよく、例えば、これらの各屋内空間Ａをリビングルームや、ダイニングルームや、リビング・ダイニングルームや、玄関ホールや、階段まわり空間等の各種の屋内空間Ａとして用いることができる。
【００２７】
このようにして構成される住宅Ｈにあっては、隣り合う仕切り予定境界面Ｂの交差する側で、基端側１０ｂを回動可能に備えられている仕切り体１０を仕切り予定境界面Ｂから離して当該仕切り体１０の備えられている壁等に添わせる等して、各仕切り予定境界面Ｂ、Ｂ…を介して共有空間Ａｄに連続されている各屋内空間Ａ、Ａ…と共有空間Ａｄとを一連に連続した１個の屋内空間として構成することができる。
【００２８】
また、互いに隣り合っている一対の仕切り体１０、１０を用いて任意の一つの仕切り予定境界面Ｂで共有空間Ａｄと当該共有空間Ａｄに連続されている屋内空間Ａとを仕切ることによって、当該共有空間Ａｄから区分された屋内空間Ａと、この屋内空間Ａを除く他の屋内空間及び共有空間Ａｄとが構成する一連に連続されている一個の屋内空間とに区分して用いることができる。
【００２９】
また、仕切り予定境界面Ｂで囲まれて構成される平面視が正四角形以上の正多角形をなす共有空間Ａｄを備える住宅Ｈにあっては、互いに隣り合っている仕切り体１０，１０を用いて、共有空間Ａｄを構成する任意の一つ以上の仕切り予定境界面Ｂで、当該共有空間Ａｄと、これに連続している屋内空間Ａとを仕切って、各種の形態の屋内空間を構成するようにして用いることができる。
【００３０】
例えば、三つの仕切り予定境界面Ｂに囲まれて、平面視が正三角形をなす共有空間Ａｄを備えた住宅Ｈにあっては、第１の仕切り予定境界面Ｂａを介して共有空間Ａｄに連続されている第１の屋内空間Ａａと、第２の仕切り予定境界面Ｂｂを介して共有空間Ａｄに連続されている第２の屋内空間Ａｂと、第３の仕切り予定境界面Ｂｃを介して共有空間Ａｄに連続されている第３の屋内空間Ａｃとを備える構成としてある。
【００３１】
かかる構成からなる住宅Ｈにあっては、隣り合う仕切り予定境界面Ｂの交差する側で、基端側１０ｂを回動可能に備えられている仕切り体１０を仕切り予定境界面Ｂから離して当該仕切り体１０の備えられている壁等に添わせる等して、第１の屋内空間Ａａ、第２の屋内空間Ａｂ及び共有空間Ａｄ並びに第３の屋内空間Ａｃとからなる一連に連続した１個の屋内空間を構成して用いることができる。また、前記一対の仕切り体１０，１０を用いて第１の仕切り予定境界面Ｂａで共有空間Ａａと当該第１の屋内空間Ａａとを仕切ることによって第２の屋内空Ａｂ及び共有空間Ａｄ並びに第３の屋内空間Ａｃとからなる一連に連続した１個の屋内空間と、当該第１の屋内空間Ａｂとに仕切って用いることができる。また、前記一対の仕切り体１０、１０を用いて第２の仕切り予定境界面Ｂｂで共有空間Ａｄと第２の屋内空間Ａｂとを仕切ることによって、第１の屋内空間Ａａ及び共有空間Ａｄ並びに第３の屋内空間Ａｃとからなる一連に連続した１個の屋内空間と、当該第２の屋内空間Ａｂとに仕切って用いることができる。また、前記一対の仕切り体１０、１０を用いて第３の仕切り予定境界面Ｂｃで共有空間Ａｄと第３の屋内空間Ａｃとを仕切ることによって、第１の屋内空間Ａａ及び共有空間Ａｄ並びに第２の屋内空間Ａｂとからなる一連に連続した１個の屋内空間と、当該第３の屋内空間Ａｃとに仕切って用いることができる。
【００３２】
また、前記仕切り体１０は、前記仕切り予定境界面Ｂの交差する側で、その基端側１０ｂを回動可能に備えられており、しかも、横幅が前記仕切り予定境界面Ｂの横幅のほぼ半分としてあり、互いに隣りあっている一対の仕切り体１０の先端側１０ａを接し合わせて前記仕切り予定境界面Ｂの任意の一つの面で前記共有空間Ａｄと屋内空間Ａとを仕切り得るものであれば、いかなる形態からなるものであっても、また、いかなる形態で備えられていてもよい。
【００３３】
すなわち、平面視で正多角形をなす共有空間Ａｄにおいて互いに隣り合っている仕切り予定境界面Ｂの交差する側にそれぞれ一個の仕切り体１０が、その基端側１０ｂを位置づけて、この基端側１０ｂで回動可能に備えられており、しかも、この各仕切り体１０Ａが、その横幅を各仕切り予定境界面Ｂの横幅のほぼ半分の横幅寸法としてある。
【００３４】
例えば、平面視で正三角形をなす共有空間Ａｄを備える住宅Ｈにあっては、当該共有空間Ａｄにおける第１の仕切り予定境界面Ｂａと第３の仕切り予定境界面Ｂｃとが交差する側に基端側１０ｂを位置づけて、この基端側１０ｂで回動可能に備えられる第１の仕切り体１０Ａと、第１の仕切り予定境界面Ｂａと第２の仕切り予定境界面Ｂｂとの交差する側に基端側１０ｂを位置づけてこの基端側１０ｂで回動可能に備えられる第２の仕切り体１０Ｂと、第２の仕切り予定境界面Ｂｂと第３の仕切り予定境界面Ｂｃとが交差する側に基端側１０ｂを位置づけて、この基端側１０ｂで回動可能に備えられる第３の仕切り体１０Ｃとを有し、しかも、この第１の仕切り体１０Ａが、その横幅を第１の仕切り予定境界面Ｂａの横幅及び第３の仕切り予定境界面Ｂｃの横幅のほぼ半分の横幅寸法としてあり、また、第２の仕切り体１０Ｂが、その横幅を第１の仕切り予定境界面Ｂａの横幅及び第２の仕切り予定境界面Ｂｂの横幅のほぼ半分の横幅寸法としてあり、また、第３の仕切り体１０Ｃが、その横幅を第２の仕切り予定境界面Ｂｂの横幅及び第３の仕切り予定境界面Ｂｃの横幅のほぼ半分の横幅寸法としてある。
【００３５】
また、かかる仕切り体１０は、木材製、金属材製、木材と紙等の複数素材からなる複合材製等、いかなる素材からなるものであってもよい。また、かかる仕切り体１０は、板目状化粧面、クロス仕上げ状化粧面、金属プレート状化粧面、ふすま状化粧面、障子状化粧面等の各種の化粧面を備えたものとして構成することができる。
【００３６】
また、かかる仕切り体１０は、例えば、ドア等の開き戸タイプの仕切り体１０、複数葉からなる観音開き折れ戸タイプの仕切り体１０等いかなる形態の仕切り体１０であってもよい。
【００３７】
かかる仕切り体１０は、例えば、ボード材からなる扉状体、パネル材からなる扉状体、枠材からなる扉状体、枠材に紙を貼り付けた障子様の扉状体、枠材の両面に紙やクロス等を貼り付けた襖様の扉状体等いかなる構成からなるものであってもよい。
【００３８】
また、互いに先端側１０ａを接して屋内空間Ａを仕切る一対の仕切り体１０における一方の仕切り体１０を、当該屋内空間Ａの仕切り予定境界面Ｂに停止状態に維持する手段は、この仕切り体１０を当該仕切り予定境界面Ｂに維持し得るものであれば、いかなる手段であってもよく、例えば、当該固定される側の仕切り体１０を前記仕切り予定境界面Ｂに停止状態に位置づける各種のストッパー手段によって、当該仕切り体１０を仕切り予定境界面Ｂに停止状態に維持することができる。
【００３９】
かかるストッパー手段は、前記固定される側の仕切り体１０を床、天井、壁等に対して停止状態に維持し得るストッパー機能を有するものであれば、いかなる形態のストッパー手段であってもよく、例えば、仕切り体１０と床４０との双方にあって、一方の側に備えられているストッパー受けに対して、他方の側に備えられているストッパー部材を入れ込んで当該仕切り体１０を停止状態に維持したり、双方に備えられている係脱可能な掛合具を互いに引っ掛けて当該仕切り体１０を停止状態に維持したり、別段に用意されるストッパー部材によって当該仕切り体１０を床４０に対して停止状態に維持する等適宜のストッパー手段を用いることができる。
【００４０】
まず、図１〜図１１に示される当該発明を実施するための最良の一形態に係る住宅Ｈについて説明する
【００４１】
この図１〜図１１に示される住宅Ｈは、各仕切り予定境界面Ｂで囲まれて平面視が正多角形をなす共有空間Ａｄ、この図示例にあっては、三つの仕切り予定境界面Ｂで囲まれて平面視が正三角形をなす共有空間Ａｄと、この共有空間Ａｄの各仕切り予定境界面Ｂで当該共有空間Ａｄに連続する屋内空間Ａとを備える住宅Ｈであって、前記共有空間Ａｄの仕切り予定境界面Ｂで当該仕切り予定境界面Ｂを仕切る仕切り体１０が、その基端側１０ｂで回動可能に備えられており、しかも、その横幅を前記仕切り予定境界面Ｂの横幅のほぼ半分としてあって、隣り合う一対の仕切り体１０、１０の先端側１０ａを接し合わせて前記仕切り予定境界面Ｂの任意の一つの面で前記共有空間Ａｄと屋内空間Ａとを仕切り得るように構成してある。
【００４２】
かかる図示例の住宅Ｈは、三つの仕切り予定境界面Ｂで囲まれて平面視が正三角形をなす共有空間Ａｄと、この共有空間Ａｄの各仕切り予定境界面Ｂで当該共有空間Ａｄに連続する屋内空間Ａとを備えていると共に、この共有空間Ａｄにおける各隅部に仕切り体１０の基端側１０ｂを回動可能に備え付け得る仕切り端部が設けてあり、この各仕切り端部にそれぞれ一個の仕切り体１０を備えるようにしてある。そして、前記共有空間Ａｄの仕切り予定境界面Ｂで当該仕切り予定境界面Ｂを仕切る仕切り体１０が、その基端側１０ｂを前記仕切り端部に回動可能に備えられており、しかも、その横幅を前記仕切り予定境界面Ｂの横幅のほぼ半分としてあって、隣り合う一対の仕切り体１０、１０の先端側１０ａを接し合わせて前記仕切り予定境界面Ｂの任意の一つの面で前記共有空間Ａｄと屋内空間Ａとを仕切り得るように構成してある。
【００４３】
このように構成される住宅Ｈにあっては、仕切り体１０の回動操作のみによって共有空間Ａｄと当該共有空間Ａｄに連続する各屋内空間Ａとを一連に連続する一個の屋内空間Ａとして構成したり、各仕切り予定境界面Ｂにおいて仕切り区分することによって三態様の仕切り屋内空間Ａとして構成することができ、それぞれの使用目的に対応した態様で使用することができる。また、かかる仕切り体１０による仕切りに際して、床や天井等にレールその他のガイド手段を設ける必要がなく、すっきりとした屋内空間を構成することができる。
【００４４】
また、前記構成に係る住宅Ｈにあって、先端側１０ａを接し合わせて前記仕切り予定境界面Ｂの任意の一つの面を仕切る一対の仕切り体１０における一方の仕切り体１０を、当該仕切り予定境界面Ｂに停止状態に維持し得るようにした住宅Ｈでは、一方の停止状態に維持されている仕切り体１０との間で他方の仕切り体１０を仕切り予定境界面Ｂにおける都合の良い出入り手段として構成することができる。
【００４５】
かかる共有空間Ａｄと前記各仕切り予定境界面Ｂを介して連続されている屋内空間Ａ、すなわち、第１の仕切り予定境界面Ｂａを介して共有空間Ａｄに連続されている第１の屋内空間Ａａと、第２の仕切り予定境界面Ｂｂを介して共有空間Ａｄに連続されている第２の屋内空間Ａｂと、第３の仕切り予定境界面Ｂｃを介して共有空間Ａｄに連続されている第３の屋内空間Ａｃと、前記共有空間Ａｄとは、この仕切り予定境界面Ｂによって構成される共有空間Ａｄが平面視で正三角形をなし、しかも、この各仕切り予定境界面Ｂで当該共有空間Ａｄに連続される屋内空間Ａとの間を前記仕切り体１０を用いて仕切り得る構成のものであれば、いかなる形態のものであってもよく、例えば、これらの各屋内空間Ａと共有空間Ａｄとをリビングルームや、ダイニングルームや、リビング・ダイニングルームや、玄関ホールや、階段まわり空間等の各種の屋内空間Ａの一種類または複数種類によって構成することができる。また、前記仕切り予定境界面Ｂで仕切り体１０によって共有空間Ａｄと仕切り構成される屋内空間Ａは、いかなる形態の屋内空間であってもよく、例えば、これらの各屋内空間Ａをリビングルームや、ダイニングルームや、リビング・ダイニングルームや、玄関ホールや、階段まわり空間等の各種の屋内空間として用いることができる。
【００４６】
このようにして構成される住宅Ｈにあっては、前記共有空間Ａｄにおける仕切り予定境界面Ｂの交差する側に基端側１０ｂで回動可能に備えられている仕切り体１０を仕切り予定境界面Ｂから離して当該仕切り体１０の備えられている壁等に添わせる等して、第１の仕切り予定境界面Ｂａを介して共有空間Ａｄに連続されている第１の屋内空間Ａａと、第２の仕切り予定境界面Ｂｂを介して共有空間Ａｄに連続されている第２の屋内空間Ａｂと、第３の仕切り予定境界面Ｂｃを介して共有空間Ａｄに連続されている第３の屋内空間Ａｃと、前記共有空間Ａｄとを、一連に連続した１個の屋内空間として構成することができる。また、前記一対の仕切り体１０、１０を用いて第１の仕切り境界面で共有空間Ａｄと第１の屋内空間Ａａとを仕切ることによって、第２の屋内空間Ａｂ及び共有空間Ａｄ並びに第３の屋内空間Ａｃとからなる一連に連続した１個の屋内空間と、当該第１の屋内空間Ａａとに仕切って用いることができる。また、前記一対の仕切り体１０、１０を用いて第２の仕切り予定境界面Ｂｂで共有空間Ａｄと第２の屋内空間Ａｂとを仕切ることによって、第１の屋内空間Ａａ及び共有空間Ａｄ並びに第３の屋内空間Ａｃとからなる一連に連続した１個の屋内空間と、当該第２の屋内空間Ａｂとに仕切って用いることができる。また、前記一対の仕切り体１０、１０を用いて第３の仕切り予定境界面Ｂｃで共有空間Ａｄと第３の屋内空間Ａｃとを仕切ることによって、第１の屋内空間Ａａ及び共有空間Ａｄ並びに第２の屋内空間Ａｂとからなる一連に連続した１個の屋内空間と、当該第３の屋内空間Ａｃとに仕切って用いることができる。
【００４７】
この図示例に係る住宅Ｈは、当該住宅Ｈの一階部分にドア状仕切り体１０’として構成される前記仕切り体１０を設けたものであって、玄関ドアを備えた玄関ホール１０４から各ドアによってリビングルーム１０２とキッチンを備えたリビング・ダイニングルーム１０１とに出入りし得るようにしてあると共に、このリビングルーム１０２から引き戸を介して階段スペースをなす廊下１０９に出入りし得るようにしてあり、また、当該廊下１０９に引き戸を介して前記リビング・ダイニングルーム１０１から出入りし得るようにしてある。
【００４８】
かかる廊下１０９に階段１０６が設けてあると共に、ドアを介してトイレットルーム１１０に、また、引き戸を介して洗面・洗濯スペース１１２に出入りし得るようにしてあり、しかも、この洗面・洗濯スペース１１２を脱衣室として折り戸を介して浴室１１１に出入りし得るように構成してある。
【００４９】
また、前記リビングルーム１０２におけるリビング・ダイニングルーム１０１との境界部分は、その全幅にわたって開口した開口部１０７を設けてあり、このリビング・ダイニングルーム１０１とリビングルーム１０２間に間仕切り壁等の固定的な仕切り手段を備えていない構成としてある。
【００５０】
そして、前記リビング・ダイニングルーム１０１と前記廊下１０９との間の間仕切り壁１１４ａにおける当該リビングルーム１０２側の仕切り端部１１４ａ’と、リビング・ダイニングルーム１０１の外壁から当該リビング・ダイニングルーム１０１に突き出されている仕切り壁１１４ｂの突き出し仕切り端部１１４ｂ’との間を塞ぐ第１の仕切り予定境界面Ｂａと、
前記リビング・ダイニングルーム１０１の外壁から当該リビング・ダイニングルーム１０１に突き出されている仕切り壁１１４ｂの突き出し仕切り端部１１４ｂ’と、前記リビングルーム１０２と前記玄関ホール１０４との間の間仕切り壁１１４ｃにおけるリビング・ダイニングルーム１０１側の仕切り端部１１４ｃ’との間を塞ぐ第２の仕切り予定境界面Ｂｂと、
このリビングルーム１０２と前記玄関ホール１０４との間の間仕切り壁１１４ｃにおけるリビング・ダイニングルーム１０１側の仕切り端部１１４ｃ’と、このリビング・ダイニングルーム１０１と前記廊下１０９との間の間仕切り壁１１４ａにおける当該リビングルーム１０２側の仕切り端部１１４ａ’との間を塞ぐ第３の仕切り予定境界面Ｂｃとで囲まれる空間が平面視で正三角形の共有空間Ａｄをなすようにしてある。
【００５１】
そして、この平面視で正三角形をなす共有空間Ａｄを構成する第１の仕切り予定境界面Ｂａで前記リビング・ダイニングルーム１０１が区分されて、この図示例にあってはダイニングルームを構成する第１の屋内空間Ａａとしてある。また、当該共有空間Ａｄを構成する第２の仕切り予定境界面Ｂｂで前記リビング・ダイニングルーム１０１が区分されて、この図示例にあってはリビングルームを構成する第２の屋内空間Ａｂとしてある。また、当該共有空間Ａｄを構成する第３の仕切り予定境界面Ｂｃで前記リビング・ダイニングルーム１０１とリビングルーム１０２とが区分されて、この図示例にあってはリビングルームを構成する第３の屋内空間Ａｃとしてある。
【００５２】
このように構成される共有空間Ａｄの各仕切り予定境界面Ｂの交差する側、すなわち、第１の仕切り予定境界面Ｂａと第３の仕切り予定境界面Ｂｃの交差する側、この図示例にあっては前記リビング・ダイニングルーム１０１と廊下１０９との間にある仕切り壁１１４ａにおけるリビングルーム１０２側の仕切り端部１１４ａ’に第１の仕切り体１０Ａとしてのドア状仕切り体１０’を回動可能に設けてある。そして、第１の仕切り予定境界面Ｂａと第２の仕切り予定境界面Ｂｂとの交差する側、この図示例にあってはリビング・ダイニングルーム１０１の外壁から当該リビング・ダイニングルーム１０１に突き出されている仕切り壁１１４ｂの突き出し仕切り端部１１４ｂ’に第２の仕切り体１０Ｂとしてのドア状仕切り体１０’を回動可能に設けてある。さらに、第２の仕切り予定境界面Ｂｂと第３の仕切り予定境界面Ｂｃとの交差する側、この図示例にあっては前記リビングルーム１０２と前記玄関ホール１０４との間の間仕切り壁１１４ｃにおけるリビング・ダイニングルーム１０１側の仕切り端部１１４ｃ’に第３の仕切り体１０Ｃとしてのドア状仕切り体１０’を回動可能に設けてある。
【００５３】
そして、この第１の仕切り体１０Ａと、第２の仕切り体１０Ｂと、第３の仕切り体１０Ｃとは、いずれも、その横幅寸法をほぼ同一としてあり、その横幅を、各仕切り予定境界面Ｂの横幅のほぼ半分の寸法をなすようにしてある。
すなわち、前記リビング・ダイニングルーム１０１と前記廊下１０９との間の間仕切り壁１１４ａにおける当該リビングルーム１０２側の仕切り端部１１４ａ’及び前記リビング・ダイニングルーム１０１の外壁から当該リビング・ダイニングルーム１０１に突き出されている仕切り壁１１４ｂの突き出し仕切り端部１１４ｂ’との間の間隔、
前記リビング・ダイニングルーム１０１の外壁から当該リビング・ダイニングルーム１０１に突き出されている仕切り壁１１４ｂの突き出し仕切り端部１１４ｂ’及び前記リビングルーム１０２と前記玄関ホール１０４との間の間仕切り壁１１４ｃにおけるリビング・ダイニングルーム１０１側の仕切り端部１１４ｃ’との間の間隔、
前記リビングルーム１０２と前記玄関ホール１０４との間の間仕切り壁１１４ｃにおけるリビング・ダイニングルーム１０１側の仕切り端部１１４ｃ’及び前記リビング・ダイニングルーム１０１と前記廊下１０９との間の間仕切り壁１１４ａにおける当該リビングルーム１０２側の仕切り端部１１４ａ’との間の間隔の、それぞれほぼ半分の横幅寸法に構成してある。
【００５４】
かかる各仕切り体１０であるドア状仕切り体１０’を、第１の屋内空間Ａａと廊下１０９との間にある仕切り壁１１４ａ、第２の屋内空間Ａｂにあってリビング・ダイニングルーム１０１に突き出している仕切り壁１１４ｂ、第３の屋内空間Ａｃにあって玄関ホール１０４との間にある仕切り壁１１４ｃにそれぞれ沿わせるようにして（図１の状態）、共有空間Ａｄを構成する各仕切り予定境界面Ｂを開放状態にすることによって、第１の屋内空間Ａａと第２の屋内空間Ａｂと第３の屋内空間Ａｃとはそれぞれ共有空間Ａｄを介して連続した一個の屋内空間とされる。すなわち、当該仕切り体１０であるドア状仕切り体１０’を用いていない状態におけるリビング・ダイニングルーム１０１とリビングルーム１０２とが一連に連続した一個の屋内空間をなすようにすることができる。
【００５５】
ついで、前記第１の屋内空間Ａａと共有空間Ａｄとの間で仕切り体１０としてのドア状仕切り体１０’を用いて図２に示すように当該第１の仕切り予定境界面Ｂａを仕切ることによって、第１の屋内空間Ａａが共有空間Ａｄ及び第２の屋内空間Ａｂ並びに第３の屋内空間Ａｃの構成する一連に連続したリビングルームから独立した屋内空間とされており、この図示例にあってはチッキン１０８を備えたダイニングルームを構成するようにしてある。
【００５６】
また、前記第２の屋内空間Ａｂと共有空間Ａｄとの間で仕切り体１０であるドア状仕切り体１０’を用いて当該第２の仕切り予定境界面Ｂｂを図３に示すように仕切ることで、この第２の屋内空間Ａｂが共有空間Ａｄ及び第１の屋内空間Ａａ並びに第３の屋内空間Ａｃの構成する一連に連続したリビング・ダイニングルームから独立した屋内空間とされており、この図示例にあっては玄関に続くリビングルームを構成するようにしてある。
【００５７】
また、前記第３の屋内空間Ａｃと共有空間Ａｄとの間で仕切り体１０であるドア状仕切り体１０’を用いて当該第３の仕切り予定境界面Ｂｃを図４に示すように仕切ることで、この第３の屋内空間Ａｃが共有空間Ａｄ及び第１の屋内空間Ａａ並びに第２の屋内空間Ａｂの構成する一連に連続したリビング・ダイニングルームから独立した屋内空間Ａとされており、この図示例にあっては玄関に続くリビングルームを構成するようにしてある。
【００５８】
このように構成される各屋内空間Ａは、屋内空間Ａの各使用態様、例えば、ホームパーテー用の広い屋内空間として構成したり、料理をしながらリビングルームで来客の接待をし得るようにしたり、接客用屋内空間と家庭用屋内空間とを画然と区分した態様に構成する等、各種の使用に適する屋内形態に変更して用いることができる。
【００５９】
かかる仕切り体１０をなすドア状仕切り体１０’を仕切り予定境界面Ｂにおいて、双方またいずれか一方を停止状態に維持し得るようにしてあり、この仕切り予定境界面Ｂにおいて停止状態にドア状仕切り体１０’を停止状態に維持することによって当該ドア状仕切り体１０’による屋内空間Ａの仕切りを効果的になすことができる。
【００６０】
かかるドア状仕切り体１０’を停止状態に維持する手段は、この仕切り予定境界面Ｂに当該ドア状仕切り体１０’を停止状態に維持し得るものであれば、いかなる停止維持手段であってもよく、例えば、当該ドア状仕切り体１０’を、床４０や天井や壁や各種屋内造作や他方のドア状仕切り体１０’等に対して各種の留めつけ手段を用いて留めつける等によってなすことができる。
【００６１】
この図示例にあっては、前記仕切り予定境界面Ｂの任意の一つにおいて前記ドア状仕切り体１０’の一方側を床４０に固定し、この固定されたドア状仕切り体１０’と開閉可能とされる他方のドア状仕切り体１０’とによって、当該仕切り予定境界面Ｂを仕切るようにしてある。
【００６２】
かかるドア状仕切り体１０’の停止状態における維持並びに当該停止状態に維持されているドア状仕切り体１０’の開閉は、例えば、図５〜図９に示される停止維持手段とドア状仕切り体１０’の開閉手段とでなすことができる。
【００６３】
この図示例にかかるドア状仕切り体１０’を停止状態に維持する手段は、当該ドア状仕切り体１０’に備えられているドアストッパー具３１における上下動可能なストッパーロッド３２で構成してあり、仕切り予定境界面Ｂに備えられているストッパー孔３４に当該ストッパーロッド３２を抜き差し可能に差し入れて当該ドア状仕切り体１０’を停止状態に維持するようにしてある。かかるドアストッパー具３１の典型例として各種の上げ落し具、例えば、フランス落し３１’（通称彫込み猿、彫込み上げ下ろし金物等と称される。）を用いることができ、前記仕切り予定境界面Ｂに備えられているストッパー孔３４としての受け具３４ａ（通称つぼ受金物、受け皿等と称される。）に対して当該フランス落し３１’のストッパーロッド３２を摘み３３の操作によって差し入れ、または、抜き出して、当該ドア状仕切り体１０’を停止状態に維持したり、この停止状態を解除して回動可能にして用いるようにしてある。
【００６４】
また、この図示例に係るドア状仕切り体１０’にあっては、当該ドア状仕切り体１０’相互の開け閉めに用いられるドア閉め具として空錠２１が示されている。かかる空錠２１は、ドア状仕切り体１０’からラッチボルト２４を常時外方に突き出すように付勢して備えており、このラッチボルト２４の先端に接する他方ドア状仕切り体１０’によってラッチボルト２４を当該ドア状仕切り体１０’内に押し込み、しかる後に、他方ドア状仕切り体１０’のラッチ受け２５に弾発押し入れられる構成としてある。
【００６５】
この図示例にあっては、対をなして各仕切り予定境界面Ｂを仕切る各ドア状仕切り体１０’、１０’の双方に、先端にスプリング等の弾発付勢手段によって出没自在とされるラッチボルト２４を備えたスライダー部材２３を建具レバー２２によって水平移動し得るようにした空錠２１が備えられており、しかも、この各空錠２１におけるラッチボルト２４を三角ラッチ２４ａ（いわゆる三角締り）として設けてある。かかる点から、前記フランス落し３１’によって床４０に固定されるドア状仕切り体１０’側の空錠２１におけるラッチボルト２４は、当該フランス落し３１’による床４０に対する固定に際して、引き込み状態に維持される構成としてある。
【００６６】
かかるスライダー部材２３の操作によるラッチボルト２４の引き込み状態での保持は、いかなる手段によってなされていてもよく、この図示例にあっては、建具レバー２２を回動操作してラッチボルト２４を備えたスライダー部材２３を当該ドア状仕切り体１０’の内方に向けて引き込み、このラッチボルト２４をドア状仕切り体１０’内に戻し切った状態を、前記フランス落し３１’を構成しているストッパーロッド３２によって維持し得るように構成してある。
【００６７】
すなわち、この図示例にあっては、図６に示されるようにフランス落し３１’におけるストッパーロッド３２をドア状仕切り体１０’の幅方向に幅の広い構成とし、このストッパーロッド３２における建具レバー２２側からドア状仕切り体１０’の先端側１０ａに向けて前記ラッチボルト２４の突き出し寸法よりも深い寸法の溝３５を設けてある。そして、前記スライダー部材２３には、下方に向けて延び、しかも、下端にドア状仕切り体１０’の先端側１０ａに向けて屈曲する突き当たり片２６ａを備えた側面Ｌ字状のストッパー部材２６を一体に設けてある。そして、図7に示されるように前記建具レバー２２の回動に伴ってドア状仕切り体１０’の内方に移動されるスライダー部材２３の移動によって前記溝３５内にあるストッパー部材２６における突き当たり片２６ａが当該溝３５から抜け出す構成としてあり、この状態で図８に示されるようにフランス落し３１’のストッパーロッド３２を前記受け具３４ａに向けて落とし込み操作することによって、突き当たり片２６ａは溝３５部から移動して当該ストッパーロッド３２における側端面に先端を接した状態に維持され、スライダー部材２３におけるラッチボルト２４がドア状仕切り体１０’内に引き込まれた状態に維持される。
【００６８】
また、このようにストッパーロッド３２によってドア状仕切り体１０’内に引き込み状態とされているラッチボルト２４は、前記フランス落し３１’のストッパーロッド３２の引き上げによって、ストッパーロッド３２の側端面に当接している前記突き当たり片２６ａを当該ストッパーロッド３２における溝３５内に入れ込み得る状態とし、建具レバー２２の操作で当該ドア状仕切り体１０’からの出没が可能とされる。
【００６９】
この図示例にかかる仕切り体１０としてのドア状仕切り体１０’は、共有空間Ａｄと、仕切り予定境界面Ｂを介して当該共有空間Ａｄに連続されている各屋内空間Ａとの間を、ほぼ、その全面に亘って塞ぐように構成してあり、床４０面からほぼ天井４１面に近接する位置まで延びるように設けてある。この結果、当該仕切り体１０によって区分される屋内空間Ａは、パーテーション等による仕切りと異なって、統一された一個の独立した屋内空間Ａとして構成することができる。
【００７０】
なお、前記各仕切り予定境界面Ｂは、主として間仕切り壁の側端縁部間を結ぶように構成してあるが、当該屋内空間Ａを仕切るパーテーションや、各種の仕切り突壁や、仕切り家具等を基点にして前記仕切り予定境界面Ｂを構成するようにしてあってもよい。
【００７１】
なお、前記仕切り予定境界面Ｂにおいて屋内空間Ａの仕切りに用いられるドア状仕切り体１０’は、その使い勝手の関係から、左右いずれの側のドア状仕切り体１０’をも回動可能に設け得るように、その、いずれにも、空錠２１とフランス落とし装置と、当該フランス落とし装置の受け金物とを備えた構成としてある。
【００７２】
ついで図１２は、前記住宅Ｈにおけるとほぼ同一の住宅Ｈにあって、リビング・ダイニングルーム１０１がほぼ長方形状とされており、第２の仕切り体１０Ｂの備えられる仕切り壁１１４ｂー１が、仕切り予定境界面Ｂのほぼ半分を塞ぐドア状仕切り体１０’を沿わせるに十分な横幅を備えていない状態のリビング・ダイニングルーム１０１としてある以外の構成を前記図１〜図１１で示される住宅Ｈの構成と同一又は実質的に同一の構成としてある。
【００７３】
従って、前記図１〜図１１において示される住宅Ｈにおけると同一又は実質的に同一の構成部分には同一の番号を付して、その説明を省略する。
【００７４】
かかる仕切り壁１１４ｂー１の仕切り端部１１４ｂー１’に備えられるドア状仕切り体１０’は、当該突き出し仕切り壁１１４ｂー１の壁幅内に収まる折り畳みドア１０”等の折り戸としてあり、他方のドア状仕切り体１０’と共に引き延ばした当該折り畳みドア１０”を用いて共有空間Ａｄにおける仕切り予定境界面Ｂを仕切り得るようにしてある。
【００７５】
ついで、図１３に示される住宅Ｈについて説明する。
この図１３に示される住宅Ｈは、玄関ホール１０４部分とダイニングルーム１０３部分とが一連に構成してあり、当該玄関ホール１０４部分に階段１０６の上り下り口が設けてあり、しかも、当該玄関ホール１０４部分に続く階段１０６脇に沿うように洗面・洗濯スペース１１２とトイレットルーム１１０が連続して設けてあると共に、これらの設備に向き合った階段１０６の背面側に浴室１１１を備えた構成としてある。また、キッチンを備えたダイニングルーム１０３部分と玄関ホール１０４部分のなす屋内空間に開口部１０７を介してリビングルーム１０２を備える構成としてある。
【００７６】
この図示例にあっては、リビングルーム１０２とダイニングルーム１０３部分との間にある間仕切り壁１１４ｄにおける開口部１０７側の仕切り端部１１４ｄ’と、ダイニングルーム１０３部分にあって外壁から突き出されて当該ダイニングルーム１０３部分と洗面・洗濯スペース１１２等を仕切る間仕切り壁１１４ｅのなす屈曲位置としての仕切り端部１１４ｅ’との間が第１の仕切り予定境界面Ｂａとしてあり、このダイニングルーム１０３部分にあって外壁から突き出されて当該ダイニングルーム１０３部分と洗面・洗濯スペース１１２等を仕切る間仕切り壁１１４ｅの屈曲位置としての仕切り端部１１４ｅ’と当該玄関ホール１０４部分の玄関１１３とリビングルーム１０２との間にある間仕切り壁１１４ｆにおける玄関ホール１０４部分側の仕切り端部１１４ｆ’との間が第２の仕切り予定境界面Ｂｂとしてあり、更に、当該玄関ホール１０４部分の玄関１１３とリビングルーム１０２との間にある間仕切り壁１１４ｆにおける玄関ホール１０４部分側の仕切り端部１１４ｆ’とリビングルーム１０２とダイニングルーム１０３部分との間にある間仕切り壁１１４ｄにおける開口部１０７側の仕切り端部１１４ｄ’との間が第３の仕切り予定境界面Ｂｃとしてある。
【００７７】
そして、この各仕切り予定境界面Ｂで囲まれた平面視で正多角形の空間、この図示例にあっては仕切り予定境界面Ｂで囲まれた平面視で正三角形をなす空間が共有空間Ａｄとしてあり、この共有空間Ａｄにおける仕切り予定境界面Ｂの交差する側に、前記図１〜図１１で示されると同様の仕切り体１０が備えられており、同様にして前記玄関ホール１０４部分およびダイニングルーム１０３部分を含む屋内空間とリビングルーム１０２とを仕切り用いることができる。すなわち、共有空間Ａｄにおける第１の仕切り予定境界面Ｂａで仕切ることによって区分されたダイニングルームとされる第１の屋内空間Ａａを構成することができ、共有空間Ａｄにおける第２の仕切り予定境界面Ｂｂで仕切ることによって区分された玄関ホール１０４とされる第２の屋内空間Ａｂを構成することができ、更に、共有空間Ａｄにおける第３の仕切り予定境界面Ｂｃで仕切ることによって区分されたリビングルーム１０２とされる第３の屋内空間Ａｃを構成することができる。
【００７８】
この図示例に係る住宅Ｈは、前記構成以外の構成を前記図１〜図１１で示される住宅Ｈの構成と同一又は実質的に同一の構成としてあり、同様に機能される。従って、前記図１〜図１１で示された構成と同一又は実質的に同一の構成部分には、同一の番号を付して、その説明を省略する。
【００７９】
この図示例に係る住宅Ｈにあっては、前記各仕切り予定境界面Ｂにある各仕切り体１０をそれぞれ壁１１４ｄ、１１４ｅ、１１４ｆに沿わせるようにした状態で第１の屋内空間Ａａ、第２の屋内空間Ａｂ、第３の屋内空間Ａｃ及び共有空間Ａｄとを一連に連続した一個の屋内空間Ａとして構成用いることができる。また、前記第１の仕切り予定境界面Ｂａを仕切り体１０で仕切ることによって第２の屋内空間Ａｂと共有空間Ａｄと第３の屋内空間Ａｃとからなるリビングルームを構成し、しかも、これとは独立したダイニングルームを構成することができる。また、前記第２の仕切り予定境界面Ｂｂを仕切り体１０で仕切ることによって第１の屋内空間Ａａと共有空間Ａｄと第３の屋内空間Ａｃとからなる大きめのリビング・ダイニングルームを玄関ホールと区分した状態で構成することができる。また、第３の仕切り予定境界面Ｂｃを仕切り体１０で仕切ることによって第１の屋内空間Ａａと共有空間Ａｄと第２の屋内空間Ａｂとからなるリビング・ダイニングルームを別途独立しているリビングルームと別段に構成することができる。
【００８０】
ついで、図１４に示される住宅Ｈについて説明する。
この図１４に示される住宅Ｈは、玄関ホール１０４部分と階段まわり空間１０５部分とが一連に構成してあり、この階段まわり部分に連続する廊下１０９からリビング・ダイニングルーム１０１に出入りし得るようにしてあると共に、当該廊下１０９の他方側に洗面・洗濯スペース１１２とトイレットルーム１１０を、更に洗面・洗濯スペース１１２を脱衣所として浴室１１１が連続して設けてあり、この玄関ホール１０４、階段まわり空間１０５および廊下１０９とリビング・ダイニングルーム１０１が間仕切り壁によって仕切り構成してある。
【００８１】
この図示例にあっては、玄関ホール１０４とリビング・ダイニングルーム１０１と間の間仕切り壁１１４ｇの開口部１０７側の仕切り端部１１４ｇ’と、玄関ホール１０４と階段まわり空間１０５との間にある外壁からの突き出し仕切り壁１１４ｈの仕切り端部１１４ｈ’との間が第１の仕切り予定境界面Ｂａとしてあり、この玄関ホール１０４と階段まわり空間１０５との間にある外壁からの突き出し仕切り壁１１４ｈの仕切り端部１１４ｈ’と、階段まわり空間１０５とリビング・ダイニングルーム１０１と間の間仕切り壁１１４ｉの開口部１０７側の仕切り端部１１４ｉ’との間が第２の仕切り予定境界面Ｂｂとしてあり、更に、当該階段まわり空間１０５とリビング・ダイニングルーム１０１と間の間仕切り壁１１４ｉの開口部１０７側の仕切り端部１１４ｉ’と玄関ホール１０４とリビング・ダイニングルーム１０１と間の間仕切り壁１１４ｇの開口部１０７側の仕切り端部１１４ｇ’との間が第３の仕切り予定境界面Ｂｃとしてある。
【００８２】
そして、この各仕切り予定境界面Ｂで囲まれた平面視で正多角形の空間、この図示例にあっては仕切り予定境界面Ｂで囲まれた平面視で正三角形をなす空間が共有空間Ａｄとしてあり、この共有空間Ａｄにおける仕切り予定境界面Ｂの交差する側に、前記図１〜図１１で示されると同様の仕切り体１０が備えられており、同様にして前記玄関ホール１０４部分および階段まわり空間１０５部分を含む屋内空間とリビング・ダイニングルーム１０１とを仕切り用いることができる。すなわち、共有空間Ａｄにおける第１の仕切り予定境界面Ｂａで仕切ることによって区分された玄関ホールとしての第１の屋内空間Ａａを構成することができ、共有空間Ａｄにおける第２の仕切り予定境界面Ｂｂで仕切ることによって区分された階段まわり空間としての第２の屋内空間Ａｂを構成することができ、更に、共有空間Ａｄにおける第３の仕切り予定境界面Ｂｃで仕切ることによって区分されたリビング・ダイニングルームとされる第３の屋内空間Ａｃを構成することができる。
【００８３】
この図示例に係る住宅Ｈは、前記構成以外の構成を前記図１〜図１１で示される住宅Ｈの構成と同一又は実質的に同一の構成としてあり、同様に機能される。従って、前記図１〜図１１で示された構成と同一又は実質的に同一の構成部分には、同一の番号を付して、その説明を省略する。
【００８４】
この図示例に係る住宅Ｈにあっては、前記各仕切り予定境界面Ｂにある各仕切り体１０をそれぞれ壁１１４ｇ、１１４ｈ、１１４ｉに沿わせるようにした状態で第１の屋内空間Ａａ、第２の屋内空間Ａｂ、第３の屋内空間Ａｃ及び共有空間Ａｄとを一連に連続した一個の屋内空間として構成用いることができる。また、前記第１の仕切り予定境界面Ｂａを仕切り体１０で仕切ることによって第２の屋内空間Ａｂと共有空間Ａｄと第３の屋内空間Ａｃとからなるリビング。ダイニングルームを構成し、しかも、これとは独立した玄関ホールを構成することができる。また、前記第２の仕切り予定境界面Ｂｂを仕切り体１０で仕切ることによって第１の屋内空間Ａａと共有空間Ａｄと第３の屋内空間Ａｃとからなる大きめのリビング・ダイニングルームを階段まわり空間と区分した状態で構成することができる。また、第３の仕切り予定境界面Ｂｃを仕切り体１０で仕切ることによって第１の屋内空間Ａａと共有空間Ａｄと第２の屋内空間Ａｂとからなる玄関ホールおよび階段まわり空間を別途独立しているリビング・ダイニングルームと別段に構成することができる。
【図面の簡単な説明】
【００８５】
【図１】典型的な住宅Ｈにあって各仕切り体１０を壁面等に沿わせた状態を平面で示した構成図
【図２】同一つの仕切り予定境界面Ｂを仕切り体１０で仕切った状態を平面で示した構成図
【図３】同他の仕切り予定境界面Ｂを仕切り体１０で仕切った状態を平面で示した構成図
【図４】同さらに他の仕切り予定境界面Ｂを仕切り体１０で仕切った状態を平面で示した構成図
【図５】同典型的な仕切り体１０を一部破断して示す要部斜視図
【図６】同典型的な仕切り体１０を一部破断して示す要部側面図
【図７】同仕切り体１０の建具レバーを操作した状態を一部破断して示す要部側面図
【図８】同仕切り体１０のフランス落とし操作を一部破断して示す要部側面図
【図９】同仕切り体１０の一部を破断して示す要部平面図
【図１０】同仕切り体１０を用いて屋内空間を仕切った一例を示す斜視図
【図１１】同仕切り体１０を用いて屋内空間を仕切った他の一例を示す斜視図
【図１２】他の典型的な住宅Ｈにあって各仕切り体１０を壁面等に沿わせた状態を平面で示した構成図
【図１３】更に他の典型的な住宅Ｈにあって各仕切り体１０を壁面等に沿わせた状態を平面で示した構成図
【図１４】更に他の典型的な住宅Ｈにあって各仕切り体１０を壁面等に沿わせた状態を平面で示した構成図
【符号の説明】
【００８６】
Ｈ  住宅
Ｂ  仕切り予定境界面
Ａ  屋内空間
Ａｄ  共有空間
１０  仕切り体
１０ａ  先端側
１０ｂ  基端側
【図１】
2007002531.tif 000003
【図２】
2007002531.tif 000004
【図３】
2007002531.tif 000005
【図４】
2007002531.tif 000006
【図５】
2007002531.tif 000007
【図６】
2007002531.tif 000008
【図７】
2007002531.tif 000009
【図８】
2007002531.tif 000010
【図９】
2007002531.tif 000011
【図１０】
2007002531.tif 000012
【図１１】
2007002531.tif 000013
【図１２】
2007002531.tif 000014
【図１３】
2007002531.tif 000015
【図１４】
2007002531.tif 000016